(57)【要約】      （修正有）【課題】劣化、損傷した際の修理が容易にできると共に、多種類の食器を安定して搬送することができるコンベア用リンク部材及びコンベア装置を提供する。【解決手段】コンベア用リンク部材は、板状部材１０の上端中央部に凹部（食器挿入部１１）を形成され、その両側にコンベア用シャフトが挿通される連結筒２０がそれぞれ設けられ、連結筒は、板状部材に連結されている固定部２１と、軸方向に設けられたコンベア用シャフトを嵌入するための開口を閉止する開閉部（可動部２２）とを有し、開閉部の一端が開口の一端側に一体に形成された薄肉構造のヒンジ部２３を介して連結され、他端が係合突起２４と係合溝２５を介して開口の他端側に係合して開口を閉止するように構成されている。【選択図】図１
0003191641.tif 000002
【実用新案登録請求の範囲】
【請求項１】
中央部が下方に湾曲して被洗浄食器の一部を挿入するための凹状の食器挿入部が形成された側面視が略Ｕ字状のＵ字状部材と、該Ｕ字状部材の両端部にそれぞれ連結されコンベア用シャフトが挿通される連結筒とを備えており、
前記連結筒は、前記Ｕ字状部材に連結されている固定部と、前記コンベア用シャフトを嵌入するための開口を閉止する可動部とを有し、前記可動部の一端が前記開口の一端側に一体に形成された薄肉構造のヒンジ部を介して前記固定部の一端に連結され、該可動部の他端が前記固定部の他端に係合して前記開口を閉止するように構成されていることを特徴とするコンベア用リンク部材。
【請求項２】
前記Ｕ字状部材の前記食器挿入部を挟む両側部分の上端面が略平坦面であり、一方の前記上端面の前記食器挿入部側の端部に上方へ突出する突起が設けられていることを特徴とする請求項１に記載のコンベア用リンク部材。
【請求項３】
前記食器挿入部は、前記被洗浄食器の一部を挿入可能な幅を有し、かつ前記食器挿入部を挟む両側部分の下端が前記突起を有する側に所定角度に傾斜するように形成されていることを特徴とする請求項２に記載のコンベア用リンク部材。
【請求項４】
前記連結筒は、前記固定部の前記他端に係合突起が形成され、前記可動部の他端に係合溝が形成され、
前記係合突起は、前記連結筒の外周側に円弧形の案内面が設けられ、前記係合溝は、前記連結筒の外周側に係合突起の案内面に押圧されて前記連結筒の外周側に弾性変形するバネ片が設けられていることを特徴とする請求項１から３のいずれか１項に記載のコンベア用リンク部材。
【請求項５】
複数の前記コンベア用シャフトを有するコンベアと、該コンベア用シャフトに装着された複数の請求項１から４のいずれか１項に記載のコンベア用リンク部材とを備えていることを特徴とするコンベア装置。
【考案の詳細な説明】
【技術分野】
【０００１】
本考案は、コンベアによって搬送しながら食器の洗浄及び濯ぎを行うコンベア型食器洗浄機用のコンベア装置及びこのコンベア装置に用いられるコンベア用リンク部材に関する。
【背景技術】
【０００２】
学校、工場、病院などにおける食器の洗浄には、多くの場合、コンベア式食器洗浄機が用いられている。コンベア式食器洗浄機は、両端を開口した洗浄室の両側に延出して食器の搬入及び搬出するコンベアを配設し、コンベア上に被洗浄食器を装着して洗浄室内を移動させながら、コンベアを挟んで上下に配置された洗浄液噴射ノズルから洗浄液を噴射し洗浄を行なう（例えば、特許文献１）。
【０００３】
特許文献１に記載の食器洗浄機のコンベアは、倒Ｅ字状に形成された多数の部材が連結軸により並列及び直列に連結されて構成されている。より詳しくは、部材は連結軸により他の同一部材と並列に連結され、更に直列に他の同一部材と連結されている。この連結は一つの部材の前端連結孔と他の部材の後端連結孔が交互に連結軸により連結させることにより各部材は千鳥状に配置されてコンベアが構成されている。
【０００４】
また、食器類洗浄機に用いられるコンベアとしては、例えば、特許文献２に記載のものが知られている。
【０００５】
特許文献２には、コ字形の板状の本体部の両端部にコンベア用シャフトが挿通される連結筒が設けられたコンベア用リンク部材を備えたコンベアが記載されている。より詳しくは、コンベア用リンク部材の連結筒に対して隣接するコンベア用シャフトがそれぞれ挿通され、コンベア用シャフトの軸方向に隣接するコンベア用リンク部材の連結筒に対して１本ずつ前後に隣接するコンベア用シャフトがそれぞれ挿通され、コンベア用シャフトに対してコンベア用リンク部材が千鳥状に配置されてベルトが形成されている。
【先行技術文献】
【特許文献】
【０００６】
【特許文献１】実公平７−２７００９号公報
【特許文献２】実開昭６１−１５４８７５号公報
【考案の概要】
【考案が解決しようとする課題】
【０００７】
しかしながら、特許文献１に記載のコンベアは、碗類食器をコンベアに水平に安定して配置することができず、上下に配置された洗浄液噴射ノズルから洗浄液を噴射し洗浄する際に、効率よくきれいに洗浄することができないという問題点があった。また、劣化、損傷したコンベア用リンク部材の修理が面倒であるという問題点もあった。
【０００８】
また、特許文献２に記載のコンベアは、コンベア用リンク部材が損傷した際には、コンベア用シャフトの端部から損傷していないコンベア用リンク部材を含めて損傷したコンベア用リンク部材を引抜き、コンベア用シャフトの端部から交換するコンベア用リンク部材と損傷していないコンベア用リンク部材とを挿通する修理工事法が採られる。このため、損傷していないコンベア用リンク部材をも引抜き、挿通しなければならず、劣化、損傷したコンベア用リンク部材の修理が面倒であるという問題点があった。また、碗類食器をコンベアに水平に安定して配置することができないという問題点もあった。
【０００９】
従って、本考案は従来技術の上述した問題点を解消するものであり、本考案の目的は、劣化、損傷した際の修理が容易にできると共に、多種類の食器を安定して搬送することができるコンベア用リンク部材及びコンベア装置を提供することにある。
【課題を解決するための手段】
【００１０】
本考案によれば、コンベア用リンク部材は、中央部が下方に湾曲して被洗浄食器の一部を挿入するための凹状の食器挿入部が形成された側面視が略Ｕ字状のＵ字状部材と、Ｕ字状部材の両端部にそれぞれ連結されコンベア用シャフトが挿通される連結筒とを備えている。連結筒は、Ｕ字状部材に連結されている固定部と、コンベア用シャフトを嵌入するための開口を閉止する可動部とを有し、可動部の一端が開口の一端側に一体に形成された薄肉構造のヒンジ部を介して固定部の一端に連結され、可動部の他端が固定部の他端に係合して開口を閉止するように構成されている。
【００１１】
このように、連結筒は、Ｕ字状部材に連結されている固定部と、コンベア用シャフトを嵌入するための開口を閉止する可動部とを有し、可動部の一端が開口の一端側に一体に形成された薄肉構造のヒンジ部を介して固定部の一端に連結され、可動部の他端が開口の他端側に係合して開口を閉止するように構成されていることにより、コンベア用リンク部材が劣化、損傷した際の修理交換が容易にできる。
【００１２】
Ｕ字状部材の食器挿入部を挟む両側部分の上端面が略平坦面であり、一方の上端面の食器挿入部側の端部に上方へ突出する突起が設けられていることが好ましい。これにより、これら上端面上に食器等を載置でき、整列させ無用の移動を防止することができ、多種類の食器を安定して搬送することができる。
【００１３】
食器挿入部は、被洗浄食器の一部を挿入可能な幅を有し、かつ食器挿入部を挟む両側部分の下端が突起を有する側に所定角度に傾斜するように形成されていることも好ましい。コンベア装置に用いられる際に、食器挿入部の両側辺の下端が搬送する方向に傾斜することで、トレイ又は皿が所定角度に傾斜して保持することができ、上下に配置された洗浄液噴射ノズルから噴射された洗浄液が、トレイ又は皿の表面に付着した汚れを効率良く洗浄除去することができる。
【００１４】
連結筒は、固定部の他端に係合突起が形成され、可動部の他端側に係合溝が形成され、係合突起は連結筒の外周側に円弧形の案内面が設けられ、係合溝は連結筒の外周側に係合突起の案内面に押圧されて連結筒の外周側に弾性変形するバネ片が設けられていることが好ましい。これにより、コンベア用リンク部材をコンベア用シャフトに確実に装着することができる。
【００１５】
本考案によれば、コンベア装置は、複数のコンベア用シャフトを有するコンベアと、これらコンベア用シャフトに装着された複数の上述したコンベア用リンク部材とを備えていることにより、コンベア用リンク部材が劣化、損傷した際の修理交換が容易にできると共に、多種類の食器を安定して搬送することができる。
【考案の効果】
【００１６】
本考案によれば、連結筒は、コンベア用シャフトを嵌入するための開口と、一端が開口の一端側に一体に形成された薄肉構造のヒンジ部を介して連結され、他端が開口の他端側に係合して開口を閉止する可動部とを有することにより、コンベア用リンク部材が劣化、損傷した際の修理交換が容易にできる。
【００１７】
本考案によれば、コンベア装置は、コンベア用リンク部材が劣化、損傷した際の修理交換が容易にできると共に、多種類の食器を安定して搬送することができる。
【図面の簡単な説明】
【００１８】
【図１】本考案の一実施形態におけるコンベア用リンク部材の構成を概略的に示す斜視図である。
【図２】図１に示したコンベア用リンク部材の構成を概略的に示す正面図である。
【図３】図１に示したコンベア用リンク部材の構成を概略的に示す側面及び底面図である。
【図４】図１に示したコンベア用リンク部材の連結筒の構成を概略的に示す断面図である。
【図５】図１に示したコンベア用リンク部材を用いたコンベア装置の構成を概略的に示す斜視図である。
【図６】図１に示したコンベア用リンク部材をコンベア用シャフトに装着する様子を示す斜視図である。
【図７】コンベア用リンク部材を装着したコンベア装置を示す側面図である。
【図８】図１に示したコンベア用リンク部材の装着手順を示す説明図である。
【考案を実施するための形態】
【００１９】
以下、本考案に係るコンベア用リンク部材及びコンベア装置の実施形態を、図を参照して説明する。
【００２０】
図１は本考案の一実施形態におけるコンベア用リンク部材１００の外観を示している。図２はコンベア用リンク部材１００を正面から見た構成を示しており、（ａ）は連結筒２０が開放状態、（ｂ）は連結筒２０が閉止状態にある場合をそれぞれ示している。図３はコンベア用リンク部材の断面を示している。図４は連結筒２０の断面を示しており、（ａ）は連結筒２０が開放状態、（ｂ）は連結筒２０が閉止状態にある場合をそれぞれ示している。本実施形態のコンベア用リンク部材１００は、被洗浄食器として、トレイ、皿及び碗類等を搬送できるように構成されている。
【００２１】
図１〜図４に示すように、コンベア用リンク部材１００は、中央部が下方に湾曲して凹状の食器挿入部１１が形成された側面視略Ｕ字状のＵ字状部材１０と、このＵ字状部材１０の両端部にそれぞれ連結されコンベア用シャフトＳが挿通される連結筒２０とを備えている。連結筒２０は、Ｕ字状部材１０の両側面からそれぞれ垂直方向に所定長さ突出している。
【００２２】
Ｕ字状部材１０は、交換時に破壊除去することが容易な材料、例えば合成樹脂材料を成形して構成されており、その上面が食器類の搭載面ともなるように構成されている。このＵ字状部材１０は、中央部が下方に湾曲して凹状の食器挿入部１１が形成されている。この凹状の食器挿入部１１はトレイ又は皿の一部を挿入可能な幅を有し、かつその両側のアーム１１ａ及び１１ｂが同一方向に所定角度（例えば、６０〜７０度）傾斜するように形成されている。これにより、食器挿入部１１内にその一部が挿入されたトレイ又は皿を斜めに支持することができる。
【００２３】
Ｕ字状部材１０の挿入部１１を挟む両側部分の上端面１２ａ及び１２ｂは略平坦面に形成されており、一方の上端面１２ａの食器挿入部側の端部には上方へ突出する突起１３が設けられている。例えば、コンベア走行方向で前方となる平坦面の食器挿入部１１側の端部に、上方へ突出する突起１３が設けられている。これにより、図７に示すように、碗のような食器をコンベアの上面に載置する場合、これら突起により食器を整列させ、食器の無用の移動を防止し、さらに、この移動により碗の一部が食器挿入部１１に落ち込み、斜めとなってしまうことを防止できる。
【００２４】
また、Ｕ字状部材１０の上端面１２ａ及び１２ｂは、連結筒２０の上端より所定距離離隔するように構成されている。これにより、連結筒２０によって洗浄液の噴射が大きく遮蔽されてしまうことを防止できる。また、Ｕ字状部材１０の下端部及び食器挿入部１１の両側のアーム１１ａ及び１１ｂの外端部はそれらの縁端に向かって厚みが徐々に減少するように構成されている。これにより、下方に配置されるノズルからの洗浄液の噴射を遮蔽する面積を減少できると共に、重量を削減でき、樹脂材料を節約することができる。
【００２５】
連結筒２０は、交換時に破壊除去することが容易な材料、例えば合成樹脂材料を用いてＵ字状部材１０と一体的に成形して構成されており、コンベア用シャフトＳへの連結部となるものである。この連結筒２０は、Ｕ字状部材１０に連結されている固定部（上半部）２１と、この連結筒２０の軸に沿ったコンベア用シャフトＳを嵌入するための開口Ｋを閉止する可動部（下半部）２２とを有する。可動部２２の一端が開口Ｋの一端側に一体に形成された薄肉構造のヒンジ部２３を介して固定部２１の一端に連結され、可動部２２の他端が固定部２１の他端に係合して開口Ｋを閉止するように構成されている。開口Ｋが閉止された状態において、連結筒２０の内面は、長軸が水平方向である長穴の断面を有するように形成されている。これにより、コンベア用シャフトＳへの装着が容易にでき、かつ接触面積が小さく摩擦を軽減することができる。また、連結筒２０の固定部２１の他端には、係合突起２４が設けられており、可動部２２の他端には、係合溝２５が設けられている。
【００２６】
図４に示すように、係合突起２４は、固定部２１の他端から立上がる基部２４ａと、この基部２４ａに連なる係合爪部２４ｂと、この係合爪部２４ｂに連なる案内面２４ｃとを備えている。この係合突起２４は、連結筒２０の軸に垂直な断面形状が楔形を有する凸条であり、固定部２１の他端面において連結筒２０の軸方向の全長にわたって形成されている。基部２４ａは、連結筒２０の軸に垂直な断面が、固定部２１の他端から離れるにつれてテーパ状に広がる形状を有しており、これによって係合突起２４の全体強度を確保している。係合爪部２４ｂは、後述の係合溝２５の係合爪部２５ｂに係合される爪状の軸垂直断面形状を有するように形成されている。案内面２４ｃは、連結筒２０の外周面側に面しており、円弧状の軸垂直断面形状を有するように形成されている。
【００２７】
係合溝２５は、可動部２２の他端の端面に形成された基部２５ａと、この基部２５ａに凹部を介して連なるバネ片２５ｃと、このバネ片２５ｃに連なる係合爪部２５ｂとを備えている。この係合溝２５は、連結筒２０の軸に垂直な断面形状が楔形の凹条であり、可動部２２の他端部において連結筒２０の軸方向の全長にわたって形成されている。基部２５ａは、連結筒２０の軸に垂直な断面が、係合突起２４の基部２４ａに対応して、可動部２２の他端から離れるにつれてテーパ状に広がる形状を有している。係合爪部２５ｂは、係合突起２４の係合爪部２４ｂに対応した爪状の軸垂直断面形状を有するように形成されている。バネ片２５ｃは、係合爪部２５ｂが係合突起２４の案内面２４ｃに当接して押圧されることによって連結筒２０の外周面方向に弾性変形するように構成されている。
【００２８】
連結筒２０の固定部２１及び可動部２２の係合端面には、連結筒２０の内周側及び外周側にシール面２４ｄ及び２５ｄがそれぞれ設けられている。シール面２４ｄ及び２５ｄは、係合突起２４と係合溝２５とが係合した際に互いに当接して密に接合されるように構成されている。
【００２９】
次に、本実施形態におけるコンベア装置１１０の構成を、図５〜図７を参照して説明する。図５はコンベア装置１１０の全体構成を示しており、被洗浄食器として、トレイ、皿及び碗をコンベア上に載置した状態を示している。図６はコンベア用リンク部材１００をコンベア用シャフトＳに装着する様子を示しており、図７はコンベア用リンク部材１００を装着したコンベア装置１１０の側面を示している。
【００３０】
図５に示すように、コンベア装置１１０は、コンベアの進行方向に対して直角の方向に互いに平行に配列された複数のコンベア用シャフトＳ、隣接するコンベア用シャフトＳの両端を連結するリンク板Ｒ、及び周端に噛合歯を有する回転プーリ（スプロケット）Ｇを有するコンベアと、このコンベアの隣接するコンベア用シャフトＳに装着された複数のコンベア用リンク部材１００とを備えている。
【００３１】
複数のコンベア用シャフトＳは、コンベア用リンク部材１００を並列及び直列に連結するために所定間隔で配列されている。隣接するコンベア用シャフトＳの両端がリンク板Ｒにより互いに連結され、２本の無端チェーン（図５には一部のみを示している）が構成される。回転プーリＧは、２本の無端チェーンの内側の端部に配置され、これら無端チェーンに噛合して駆動するように構成されている。
【００３２】
図６に示すように、本実施形態のコンベア装置１１０において、多数のコンベア用リンク部材１００は、中央部が下方に湾曲するように、即ち凹状の食器挿入部１１の開口が上向きの状態でコンベア用シャフトＳに装着される。１つのコンベア用リンク部材１００の両端部の２つの連結筒２０は互いに隣接する２つのコンベア用シャフトＳにそれぞれ挿通し、各コンベア用シャフトＳの軸方向に互いに隣接して一方の連結筒２０が挿通しているコンベア用リンク部材１００の他方の連結筒２０は前後に隣接するコンベア用シャフトＳにそれぞれ挿通するように装着される。これにより、複数のコンベア用シャフトＳに対して複数のコンベア用リンク部材１００が千鳥状に配置されたベルト（被洗浄食器積載部）が構成されている。各コンベア用リンク部材１００は、コンベア用シャフトＳの軸方向の端部から装着することができ、さらに、コンベア用シャフトＳの軸途中においても上部からも装着することができる。
【００３３】
図５及び図７に示すように、トレイ又は皿は、コンベア用リンク部材１００の食器挿入部１１に挿入して配置することができる。また、碗等の食器は、コンベア用リンク部材１００の上面の平坦面部に配置することができる。これにより、コンベア装置１１０は、同時に複数種の食器を搬送することができる。
【００３４】
以上詳細に説明したように本実施形態によれば、コンベア用リンク部材１００は、交換時に破壊除去することが容易な材料、例えば合成樹脂材料を用いて形成されているため、このコンベア用リンク部材１００が劣化や損傷した場合は、何らかの方法で破壊してコンベア用シャフトＳから除去することが可能となる。また、劣化や損傷したコンベア用リンク部材１００の係合突起２４及び係合溝２５間の係合を解除することによってもコンベア用シャフトＳから簡単に除去することができる。
【００３５】
さらに、本実施形態によれば、コンベア用リンク部材１００は、コンベア用シャフトＳに挿通される連結筒２０が、Ｕ字状部材１０に連結されている固定部２１と、コンベア用シャフトＳを嵌入するための開口を閉止する可動部２２とを有し、可動部２２の一端が開口の一端側に一体に形成された薄肉構造のヒンジ部２３を介して連結され、他端が開口の他端側に係合して開口を閉止するように構成されているため、交換のため新しいコンベア用リンク部材１００を装着する場合、コンベア用シャフトＳの途中から嵌合させて装着することができる。即ち、図８（ａ）に示すようにコンベア用シャフトＳの上方からコンベア用リンク部材１００を降ろし、図８（ｂ）に示すようにコンベア用リンク部材１００の２つの連結筒２０の固定部２１を隣接する２つのコンベア用シャフトＳにそれぞれ嵌め込む。次いで、図８（ｃ）に示すように２つの連結筒２０の係合突起２４及び係合溝２５をそれぞれ係合させることにより、コンベア用リンク部材１００が２つのコンベア用シャフトＳへ装着される。
【００３６】
従って、本実施形態のコンベア装置１１０は、コンベア用リンク部材１００が劣化や損傷した際に、その修理交換が容易にできると共に、多種類の食器を安定して搬送することができる。
【００３７】
また、Ｕ字状部材１０の食器挿入部１１を挟む両側部分の上端面１２ａ及び１２ｂが略平坦面であり、その一方の上端面の食器挿入部１１側の端部に上方へ突出する突起１３が設けられていることで、これら上端面１２ａ及び１２ｂに食器等を載置することができ、整列させ無用の移動を防止することができ、多種類の食器を安定して搬送することができる。
【００３８】
また、連結筒２０の係合突起２４には連結筒２０の外周側に円弧形の案内面２４ｃが設けられ、係合溝２５にはその係合爪部２５ｂが係合突起２４の案内面２４ｃに押圧された際に連結筒２０の外周面方向に弾性変形するバネ片２５ｃが設けられているため、コンベア用リンク部材１００をコンベア用シャフトＳに確実に装着することができる。
【００３９】
さらに、食器挿入部１１は、搬送されるトレイ又は皿の一部を挿入可能な幅を有し、かつ食器挿入部１１の両側のアーム１１ａ及び１１ｂの下端が突起１３を有する方向に所定角度に傾斜するように形成されていることから、コンベア装置１１０に装着された際に、食器挿入部１１の両側のアーム１１ａ及び１１ｂの下端が搬送する方向に傾斜する。このため、トレイ又は皿を所定角度傾斜して保持することができ、上下に配置された洗浄液噴射ノズルから噴射された洗浄液がトレイ又は皿の表面に付着した汚れを効率良く洗い取ることを可能としている。
【００４０】
なお、上述した実施形態において、連結筒２０は、Ｕ字状部材１０の両側面からそれぞれ垂直方向に所定長さ突出しているが、本考案はこれに限定されるものではない。例えば、Ｕ字状部材１０の片側面のみから垂直方向に所定長さ突出する構成であっても良い。
【００４１】
また、上述した実施形態においては、連結筒２０の固定部２１に係合突起２４が設けられ、連結筒２０の可動部２２に係合溝２５が設けられているが、本考案はこれに限定されるものではない。例えば、連結筒２０の可動部２２に係合突起２４を設け、固定部２１に係合溝２５を設けるように構成しても良い。
【００４２】
さらにまた、上述した実施形態においては、連結筒２０の内面が、長軸が水平方向である長穴の断面を有しているが、本考案はこれに限定されるものではなく、連結筒２０の内面が円形穴の断面を有するように構成しても良い。
【００４３】
以上述べた実施形態は全て本考案を例示的に示すものであって限定的に示すものではなく、本考案は他の種々の変形態様及び変更態様で実施することができる。従って本考案の範囲は実用新案登録請求の範囲及びその均等範囲によってのみ規定されるものである。
【産業上の利用可能性】
【００４４】
本考案は、食品洗浄機、及び食品洗浄機以外の食品製造機やその他の機器類に食器や物品を搬送するコンベアに利用できる。
【符号の説明】
【００４５】
１０  Ｕ字状部材
１１  食器挿入部
１１ａ、１１ｂ  アーム
１２ａ、１２ｂ  上端面
１３  突起
２０  連結筒
２１  固定部（上半部）
２２  可動部（下半部）
２３  ヒンジ部
２４  係合突起
２４ａ、２５ａ  基部
２４ｂ、２５ｂ  係合爪部
２４ｃ  案内面
２４ｄ、２５ｄ  シール面
２５  係合溝
２５ｃ  バネ片
１００  コンベア用リンク部材
１１０  コンベア装置
Ｇ  回転プーリ（スプロケット）
Ｋ  開口
Ｒ  リンク板
Ｓ  コンベア用シャフト
【図１】
0003191641.tif 000003
【図２】
0003191641.tif 000004
【図３】
0003191641.tif 000005
【図４】
0003191641.tif 000006
【図５】
0003191641.tif 000007
【図６】
0003191641.tif 000008
【図７】
0003191641.tif 000009
【図８】
0003191641.tif 000010